(57)【要約】【目的】  記録媒体の再生をより安定して行えるようにする。【構成】  マイクロコントローラ６は、光ディスク１３の再生時に再生エラーが発生したとき、光ディスク１３の再生に影響する設定値を変更し、その変更後の設定値を光ディスク１３の種類毎に記憶して、再生エラーが発生したときのリトライ動作時、光ディスク１３の再生に影響する設定値を変更して所定回数のリトライ動作を繰り返し、所定回数以内のリトライ動作で再生に成功したときの設定値に対応するカウント値をカウントアップして記憶する。そして、光ディスク１３の再生開始時、上記記憶された最も多いカウント値に対応する設定値を設定する。【選択図】        図１
2006185495.tif 000002
【特許請求の範囲】
【請求項１】
記録媒体から情報を再生する情報再生装置において、前記記録媒体の再生時に再生エラーが発生したとき、前記記録媒体の再生に影響する設定値を変更する設定値変更手段と、該設定値変更手段によって変更した変更後の設定値を前記記録媒体の種類毎に記憶する設定値記憶手段とを設けたことを特徴とする情報再生装置。
【請求項２】
請求項１記載の情報再生装置において、再生エラーが発生したときのリトライ動作時、前記設定値変更手段によって前記記録媒体の再生に影響する設定値を変更して所定回数のリトライ動作を繰り返し、前記所定回数以内のリトライ動作で再生に成功したときの設定値に対応するカウント値をカウントアップして記憶する設定値カウント記憶手段を設けたことを特徴とする情報再生装置。
【請求項３】
請求項２記載の情報再生装置において、前記記録媒体の再生開始時、前記設定値カウント記憶手段に記憶された最も多いカウント値に対応する設定値を設定する手段を設けたことを特徴とする情報再生装置。
【請求項４】
請求項２記載の情報再生装置において、前記設定値カウント記憶手段は、前記再生エラーが発生したときのリトライ動作時、前記設定値変更手段によって前記記録媒体の再生に影響する設定値を変更して所定回数のリトライ動作を繰り返し、前記所定回数以内のリトライ動作で再生に成功したときの設定値に対応するカウント値をカウントアップして再生エラーの種類毎に記憶する手段であることを特徴とする情報再生装置。
【請求項５】
請求項４記載の情報再生装置において、前記再生エラーの種類毎のカウント値が最も大きい設定値を前記リトライ動作時の設定値に設定する手段を設けたことを特徴とする情報再生装置。
【請求項６】
請求項４記載の情報再生装置において、前記記録媒体の再生開始時、前記設定値カウント記憶手段に再生エラーの種類毎に記憶された最も多いカウント値に対応する設定値を設定する手段を設けたことを特徴とする情報再生装置。
【請求項７】
記録媒体から情報を再生する情報再生装置において、前記記録媒体の再生時にエラーレートを測定するエラーレート測定手段と、該エラーレート測定手段によって測定したエラーレートに基づいて前記記録媒体の再生に影響する設定値を変更する設定値変更手段と、該設定値変更手段によって変更した変更後の設定値を前記記録媒体の種類毎に記憶する設定値記憶手段とを設けたことを特徴とする情報再生装置。
【請求項８】
請求項７記載の情報再生装置において、前記設定値変更手段は、前記エラーレート測定手段によって測定したエラーレートが予め設定した第１の閾値以上で前記第１の閾値よりも大きい第２の閾値以下の値のときにはエラーレートが最小になる設定値を調査し、該調査の結果得られた設定値に変更する手段であることを特徴とする情報再生装置。
【請求項９】
請求項８記載の情報再生装置において、前記設定値変更手段に、前記エラーレート測定手段によって測定したエラーレートが前記第１の閾値未満の値のときには設定値を変更せずに維持する手段を設けたことを特徴とする情報再生装置。
【請求項１０】
請求項９記載の情報再生装置において、前記設定値記憶手段に記憶した設定値はデフォルト値、カレント値、ランニング最適値をそれぞれ持つことを特徴とする情報再生装置。
【請求項１１】
請求項１０記載の情報再生装置において、前記設定値変更手段に、前記エラーレート測定手段によって測定したエラーレートが前記第２の閾値を超える値のときには設定値を前記デフォルト値に戻す手段を設けたことを特徴とする情報再生装置。
【請求項１２】
請求項１１記載の情報再生装置において、前記記録媒体が正常に再生された後の前記記録媒体のトレイアウト時には該トレイアウト時の設定値の再生成功回数をカウントアップし、次回再生する時は前記再生成功回数が一番多い設定値を設定して再生開始する手段を設けたことを特徴とする情報再生装置。
【発明の詳細な説明】
【技術分野】
【０００１】
この発明は、ＣＤ−Ｒディスク、ＣＤ−ＲＷディスク、ＤＶＤ＋Ｒディスク、ＤＶＤ＋ＲＷディスク、ＤＶＤ−Ｒディスク、ＤＶＤ−ＲＷディスクなどの記録媒体を再生する情報再生装置に関する。
【背景技術】
【０００２】
光ディスク装置等の情報再生装置で再生する記録媒体に局所的な傷等がある場合、再生エラーが発生してリトライ動作を行う。その場合、リトライ時に設定値を変更してリトライすることが考えられている。
従来、再生エラー時に再生リトライでの設定条件を記憶する情報再生装置（例えば、特許文献１参照）があった。
【特許文献１】特開２００３−１９６８３９号公報
【発明の開示】
【発明が解決しようとする課題】
【０００３】
しかしながら、従来の情報再生装置では、リトライ回数が限られており有効な設定値に変更出来ずに再生エラーとなる場合があるという問題があった。
そこで、リトライ時に各種設定を変更してリトライ回数が少なく再生できる設定が見つかれば、その設定を記憶することにより次回からの再生時適切な設定により再生品質を向上することが出来る。
この発明は上記の点に鑑みてなされたものであり、記録媒体の再生をより安定して行えるようにすることを目的とする。
【課題を解決するための手段】
【０００４】
この発明は上記の目的を達成するため、次の各情報再生装置を提供する。
（１）記録媒体から情報を再生する情報再生装置において、上記記録媒体の再生時に再生エラーが発生したとき、上記記録媒体の再生に影響する設定値を変更する設定値変更手段と、その設定値変更手段によって変更した変更後の設定値を上記記録媒体の種類毎に記憶する設定値記憶手段を設けた情報再生装置。
（２）上記（１）の情報再生装置において、再生エラーが発生したときのリトライ動作時、上記設定値変更手段によって上記記録媒体の再生に影響する設定値を変更して所定回数のリトライ動作を繰り返し、上記所定回数以内のリトライ動作で再生に成功したときの設定値に対応するカウント値をカウントアップして記憶する設定値カウント記憶手段を設けた情報再生装置。
（３）上記（２）の情報再生装置において、上記記録媒体の再生開始時、上記設定値カウント記憶手段に記憶された最も多いカウント値に対応する設定値を設定する手段を設けた情報再生装置。
【０００５】
（４）上記（２）の情報再生装置において、上記設定値カウント記憶手段を、上記再生エラーが発生したときのリトライ動作時、上記設定値変更手段によって上記記録媒体の再生に影響する設定値を変更して所定回数のリトライ動作を繰り返し、上記所定回数以内のリトライ動作で再生に成功したときの設定値に対応するカウント値をカウントアップして再生エラーの種類毎に記憶する手段にした情報再生装置。
（５）上記（４）の情報再生装置において、上記再生エラーの種類毎のカウント値が最も大きい設定値を前記リトライ動作時の設定値に設定する手段を設けた情報再生装置。
（６）上記（４）の情報再生装置において、上記記録媒体の再生開始時、上記設定値カウント記憶手段に再生エラーの種類毎に記憶された最も多いカウント値に対応する設定値を設定する手段を設けた情報再生装置。
【０００６】
（７）記録媒体から情報を再生する情報再生装置において、上記記録媒体の再生時にエラーレートを測定するエラーレート測定手段と、そのエラーレート測定手段によって測定したエラーレートに基づいて上記記録媒体の再生に影響する設定値を変更する設定値変更手段と、その設定値変更手段によって変更した変更後の設定値を上記記録媒体の種類毎に記憶する設定値記憶手段を設けた情報再生装置。
（８）上記（７）の情報再生装置において、上記設定値変更手段を、上記エラーレート測定手段によって測定したエラーレートが予め設定した第１の閾値以上で上記第１の閾値よりも大きい第２の閾値以下の値のときにはエラーレートが最小になる設定値を調査し、その調査の結果得られた設定値に変更する手段にした情報再生装置。
（９）上記（８）の情報再生装置において、上記設定値変更手段に、上記エラーレート測定手段によって測定したエラーレートが上記第１の閾値未満の値のときには設定値を変更せずに維持する手段を設けた情報再生装置。
【０００７】
（１０）上記（９）の情報再生装置において、上記設定値記憶手段に記憶した設定値はデフォルト値、カレント値、ランニング最適値をそれぞれ持つ情報再生装置。
（１１）上記（１０）の情報再生装置において、上記設定値変更手段に、上記エラーレート測定手段によって測定したエラーレートが上記第２の閾値を超える値のときには設定値を上記デフォルト値に戻す手段を設けた情報再生装置。
（１２）上記（１１）の情報再生装置において、上記記録媒体が正常に再生された後の上記記録媒体のトレイアウト時にはそのトレイアウト時の設定値の再生成功回数をカウントアップし、次回再生する時は上記再生成功回数が一番多い設定値を設定して再生開始する手段を設けた情報再生装置。
【発明の効果】
【０００８】
この発明による情報再生装置は、記録媒体の再生をより安定して行うことができる。
【発明を実施するための最良の形態】
【０００９】
以下、この発明を実施するための最良の形態を図面に基づいて具体的に説明する。
図１は、この発明の一実施例である光ディスクドライブを備えた情報再生システムの構成を示すブロック図である。
この情報再生システムは、光ディスクドライブ１１とホストコンピュータ１２とがデータ通信可能に接続されている。
ホストコンピュータ１２は、ＣＰＵ、ＲＯＭ及びＲＡＭ等からなるマイクロコンピュータによって実現される制御部が装置全体の制御を司り、光ディスクドライブ１１によって再生されたデータを受信して利用する。
【００１０】
光ディスクドライブ１１は、記録媒体である光ディスク１３を回転させるスピンドルモータ１と、光ディスク１３に記録された情報を再生するためのレーザ光Ｌを照射するレーザダイオード（ＬＤ）等の光源を有する光ピックアップ２と、スピンドルモータ１の回転を制御する回転制御系部３と、光ピックアップ２を光ディスク１３の半径方向に移動させる粗動モータ、光ピックアップ２及び粗動モータの駆動を制御する粗動モータ／光ピックアップ制御系部４と、光ピックアップ２から再生された信号をマイクロコントローラ６へ送る処理などを行う信号処理系部５を備えている。
【００１１】
また、マイクロコンピュータ（ＣＰＵ）を有して、この光ディスクドライブ１１の全体の制御を司るマイクロコントローラ６と、光ディスク１３から再生したデータと、マイクロコントローラ６の各種のデータ処理やファームウェアプログラム書き込み時に受信したデータを一時記憶するバッファメモリ７と、光ディスク１３の種類毎の再生に影響する設定値、リトライ動作で再生に成功したときの設定値に対応するカウント値、リトライ動作で再生に成功したときの設定値に対応する再生エラーの種類毎のカウント値、設定値のデフォルト値、カレント値、ランニング最適値等のデータを記憶するＥＥＰＲＯＭ８と、マイクロコントローラ６が実行するファームウェアが格納されているフラッシュメモリ９と、ホストコンピュータ１２とデータのやり取りを行う制御を司る外部インタフェース制御系部１０を備えている。
【００１２】
外部インタフェース制御系部１０の外部インタフェース方式にはＡＴＡＰＩ、ＳＣＳＩ、ＵＳＢ、ＩＥＥＥ１３９４などがある。
また、上記ＥＥＰＲＯＭ８に代えてフラッシュメモリ９を利用してもかまわない。
そして、マイクロコンピュータ６がフラッシュメモリ９に格納されたファームウェアプログラムを実行し、そのプログラムの各工程の実行による情報再生方法を実施し、この発明に係る上記各手段の機能を果たす。
【００１３】
次に、この光ディスクドライブ１１における再生処理について説明する。
この再生処理では、再生エラー時にリトライ動作を行う場合、各種設定値の設定を変えてリトライ動作を一定の回数繰り返し、一定回数繰り返しても再生エラーの場合は設定値を変更する。
また、再生エラー発生時のカレント値から前後に変更して一定回数以内のリトライ動作で再生に成功した場合は、その設定値に対応した設定値カウント用テーブルにカウントアップする。そして、次回同じ種類の光ディスクを再生する場合に一番カウント数の多い設定値を選択する。
このようにして、より再生時の各種設定が適切なものが設定されることになり、再生品質を改善することができる。
【００１４】
上記光ディスク１３の種類は、ＤＶＤ−ＲＯＭ１層ディスク，ＤＶＤ−ＲＯＭ２層ディスク，ＤＶＤ＋Ｒディスク，ＤＶＤ＋ＲＷディスク，ＤＶＤ−Ｒディスク，ＤＶＤ−ＲＷディスク，ＣＤ−ＲＯＭディスク，ＣＤ−Ｒディスク，ＣＤ−ＲＷディスクなどがある。
再生時の再生エラーの種類としては、メカ動作を行う場合のシーク動作でのエラーであるシークエラー、何らかの原因によりアドレスが読めないエラー、エラー訂正（ＥＣＣ）エラーなどがある。
粗動モータ／光ピックアップ制御系部４の光ピックアップ２の制御系部と、信号処理系部５の設定値には、ブースト設定値、イコライザー設定値、リードパワー設定値、トラックサーボゲイン設定値、フォーカスサーボゲイン設定値などがある。
【００１５】
それぞれ以後、上記ブースト設定値を設定値１、上記イコライザー設定値を設定値２、上記リードパワー設定値を設定値３、上記トラックサーボゲイン設定値を設定値４、上記フォーカスサーボゲイン設定値を設定値５とする。なお、他にも有効な設定値があれば、それを追加又は上記いずれかの設定値と変更してもよい。
図２は、上記ＥＥＰＲＯＭ８に格納した光ディスクの種類毎の各種設定値格納用テーブルのフォーマットを示す図である。
この各種設定値格納用テーブルは、光ディスク１３の種類毎に装置内の各部毎のデフォルト値と、カレント値をテーブル形式で格納している。
デフォルト（Ｄｅｆａｕｌｔ）値は工場出荷時の初期設定値であり、カレント（Ｃｕｒｒｅｎｔ）値は前回再生エラー発生時のリトライ動作時にリトライ回数が一番少なかった設定値であり、再生開始時にセットされる。
【００１６】
さらに、それぞれの設定値１〜５は、最大値〜標準値〜最小値を用意しており、この実施形態では５段階を用意した。
設定値の変更内容として、それぞれ以後、標準（Ｔｙｐｉｃａｌ）値をＣ，最大値Ａ，最小値Ｅとし、設定値＝Ａ，設定値＝Ｂ，設定値＝Ｃ，設定値＝Ｄ，設定値＝Ｅ（但し、Ａ＞Ｂ＞Ｃ＞Ｄ＞Ｅ）すると、以下の設定値が選択できることになる。
設定値１（ブースト設定値）：設定値＝Ａ，Ｂ，Ｃ，Ｄ，Ｅ
設定値２（イコライザー設定値）：設定値＝Ａ，Ｂ，Ｃ，Ｄ，Ｅ
設定値３（リードパワー設定値）：設定値＝Ａ，Ｂ，Ｃ，Ｄ，Ｅ
設定値４（トラックサーボゲイン設定値）：設定値＝Ａ，Ｂ，Ｃ，Ｄ，Ｅ
設定値５（フォーカスサーボゲイン設定値）：設定値＝Ａ，Ｂ，Ｃ，Ｄ，Ｅ
【００１７】
図３と図４は、上記ＥＥＰＲＯＭ８に格納した光ディスクの種類毎のリトライ回数が少ない設定値カウント用テーブルのフォーマットを示す図である。
リトライ回数が少ない設定値カウント用テーブルは、光ディスクの種類毎にリトライ回数が少ない設定値に対応するカウント値をカウントアップするテーブルである。
図５乃至図１０は、上記ＥＥＰＲＯＭ８に格納した再生エラー種類別の光ディスクの種類毎のリトライ回数が少ない設定値カウント用テーブルのフォーマットを示す図である。
この再生エラー種類別のリトライ回数が少ない設定値カウント用テーブルは、再生エラー種類（再生エラー種類Ｘ，Ｙ，Ｚ）別に光ディスクの種類毎のリトライ回数が少ない設定値に対応するカウント値をカウントアップするテーブルである。
【００１８】
図１１は、図１に示す光ディスクドライブ１１における再生処理を示すフローチャート図である。
マイクロコントローラ６は、ステップ（図中「Ｓ」で示す）１で光ディスクを検出すると、ステップ２で光ディスクの種類毎のリトライ回数が少ない設定値カウント用テーブルの値が最大の設定値を検索し、その設定値をカレント値にセットして各種設定値をセットし、ステップ３で再生動作を開始し、ステップ４で再生エラーが発生したか否かを判断して、再生エラーが発生しなければ、再生終了後にステップ１３で再生を停止し、この処理を終了する。
【００１９】
ステップ４の判断で再生エラーが発生したら、ステップ５で再生エラー種別毎のリトライ設定値（リトライ動作時の設定値）を検索して設定値にセットし、ステップ６でリトライ動作を開始すると共に、リトライ回数をカウントアップし、ステップ７でリトライ動作の結果再生成功か否かを判断し、成功ならステップ１６で再生エラー種別毎のリトライ回数が少ない設定値カウント用テーブルのカウント値をカウントアップし、再生終了後にステップ１３で再生を停止し、この処理を終了する。
【００２０】
ステップ７の判断で再生成功でなければ、ステップ８で再生停止か否かを判断し、再生停止なら、ステップ１３で再生を停止してこの処理を終了するが、再生停止でなければ、ステップ９でリトライ回数が予め設定した一定回数（ここでは、リトライ動作の繰り返し数＋１の値）を超えたか否かを判断し、超えなければステップ６へ戻って上述の処理を繰り返し、超えたらステップ１０で設定値Ａ〜Ｅについて確認を終了したか否かを判断する。
【００２１】
ステップ１０の判断で設定値Ａ〜Ｅについて確認を終了しなければ、ステップ１４で設定値を変更してステップ６へ戻って上述の処理を繰り返し、終了したらステップ１１で全ての設定変更項目を終了したか否かを判断し、終了しなければステップ１５で次の設定項目に変更してステップ６へ戻って上述の処理を繰り返し、終了したらステップ１２で再生エラー処理を実行し、ステップ１３で再生を停止し、この処理を終了する。
【００２２】
例えば、ＤＶＤ−ＲＯＭ１層ディスクについて、デフォルト値を以下のように設定した場合、カレント値が例えば以下のようにリトライ回数少ない設定値カウント用テーブルの最大値を検索して設定し、再生をスタートする。
デフォルト値：設定値１を設定値＝Ｃ，設定値２を設定値＝Ｃ，設定値３を設定値＝Ｃ，設定値４を設定値＝Ｃ，設定値５を設定値＝Ｃ
カレント値（再生スタート時の設定値）：設定値１を設定値＝Ｄ，設定値２を設定値＝Ｄ，設定値３を設定値＝Ｂ，設定値４を設定値＝Ｂ，設定値５を設定値＝Ｃ
【００２３】
このようにして、光ディスクの種類により適切な設定値を短時間に設定することができ、再生エラーになり難い安定した再生動作を行うことができる。
また、一定の回数以下で再生成功した設定値を記憶することにより、次回の再生時にその設定値を使用することができ、再生エラーになり難い安定した再生動作を行うことができる。
さらに、前回までの再生リトライ動作で一番リトライ回数が少ない設定値を次回の再生時に使用することができるので、再生エラーになり難い安定した再生動作を行うことができる。
【００２４】
また、一定の回数以下で再生成功した設定値を再生エラーの種類毎に記憶することにより、次回の再生エラーのリトライ時にその設定値を使用することができ、リトライ動作による再生成功能力を向上させることができる。
さらに、再生エラーの種類毎に記憶されたリトライ設定値を使用してリトライすることにより、リトライ動作時設定が適切に行われるので、リトライ動作による再生成功能力を向上させることができる。
また、リトライ動作での記憶された最適な設定値を使用することにより、再生エラーになり難い安定した再生動作を行うことができる。
【００２５】
この光ディスクドライブ１１は、リトライ動作時、リトライ回数が少ない時に設定値を記憶し、次回再生開始時はそのリトライ回数が少なかった設定値を使うことにより、リトライ回数の少ない安定した再生を行うことができる。
また、光ディスクの種類毎に設定値を記憶することにより、より細かい設定による再生動作が可能になる。
さらに、トレイアウト時に現状の各種設定値に対応したカウント値をカウントアップして、次回の再生時には一番カウント値の数の多い設定値を選択することにより、再生動作を安定して行う学習機能を持たせることができる。
また、再生エラーの種類毎に設定値を記憶することにより、より個別の再生エラーに対応した再生リトライ動作が可能になる。
さらに、再生時のリトライ回数が多い光ディスクでは、ホストコンピュータに通知することにより、リトライ回数を増やしてもらうようなことも考えられる。
【００２６】
次に、この光ディスクドライブ１１における他の再生処理について説明する。
この再生処理では、再生時のエラーレートを測りながら再生し、エラーレートが悪くなったら再生エラーが発生する前に設定値を変更して再生すると共にその変更後の設定値を記憶する。そして、次回再生開始時は前回の（上記記憶している）設定値を使うことにより再生を安定して行うことができる。
また、トレイアウト時にエラーレートの一番低い各種の設定値のカウント値をカウントアップすることにより、次回の再生時には一番カウント数の多い設定値を選択することができ、より再生動作を安定して行うことができる。
このようにして、再生中に再生条件の最適値を検出して設定値を記憶することができるので、リトライ動作が不要であり、よりユーザにとって安定した再生性能を提供することができる。
【００２７】
この処理では、光ディスク１３の種類毎にデフォルト（Ｄｅｆａｕｌｔ）値、カレント（Ｃｕｒｒｅｎｔ）値、ランニング（Ｒｕｎｎｉｎｇ）最適値を用意している。
図１２は、上記ＥＥＰＲＯＭ８に格納した光ディスクの種類毎の各種設定値格納用テーブルの他のフォーマットを示す図である。
この各種設定値格納用テーブルは、光ディスク１３の種類毎に装置内の各部毎のデフォルト値と、カレント値と、ランニング最適値をテーブル形式で格納している。
デフォルト値は工場出荷時の初期設定値であり、カレント値は再生スタート時に設定される設定値であり、初期状態ではデフォルト値が設定されており、以降は前回再生時に使用した最後のランニング最適値がセットされ、再生開始時にそのカレント値が設定値としてセットされる。
ランニング最適値は、カレント状態で再生スタートした設定値から、エラーレートが最小になる設定値を調査した結果得られた再生エラーを起こし難い最適な設定値である。
【００２８】
図１３及び図１４は、上記ＥＰＰＲＯＭ８に格納した正常再生設定値カウント用テーブルのフォーマットを示す図である。
この正常再生設定値カウント用テーブルは、光ディスク１３のトレイアウト時に各設定値のカレント値に対応した光ディスク１３の種類毎の正常再生値のカウント値をカウントアップして記憶するテーブルであり、次回同じ種類の光ディスク１３を再生する場合に一番カウント数の多い設定値を選択することにより、より再生時の各種設定が適切なものが設定されることになり、再生品質が改善される。
電源オフ時にカウントアップするようにしてもよい。
【００２９】
この光ディスクドライブ１１の信号処理系部５にはエラーレートを検出する機能があり、光ディスク１３の再生時にエラーレートを測定するエラーレート測定手段の機能を備えている。そのエラーレートの測定のために、エラーレートの閾値として内部メモリに予め設定した第１の閾値とその第１の閾値よりも大きい値の第２の閾値を記憶している。ここでは、第１の閾値が一番エラーレートが小さい値を設定し、第２の閾値は第１の閾値よりもエラーレートが所定値だけ大きい値を設定している。
【００３０】
まず、エラーレートが第１の閾値から第２の閾値の間の場合は、設定値を変更して最小になる設定値を調査して設定すると共にその設定値を記憶する。
このように、エラーレートが第１の閾値〜第２の閾値の範囲内では常に最小になる設定値を調査することになり、これはランニング最適値として光ディスク１３の種類毎の各設定値毎にテーブルで記憶する。
また、エラーレートが第２の閾値を超えた場合は、設定値をデフォルト値に戻すことにより異常動作を防止する。
あるいは、エラーレートが第１の閾値未満の場合にはその設定値が保持される。
【００３１】
図１５は、図１に示す光ディスクドライブ１１における他の再生処理を示すフローチャート図である。
マイクロコントローラ６は、ステップ（図中「Ｓ」で示す）２１で光ディスクを検出すると、ステップ２２で光ディスクの種類毎の正常再生設定値カウント用テーブルの値が最大の設定値を検索し、その設定値をカレント値にセットして各種設定値をセットし、ステップ２３で再生動作を開始すると共に、信号処理系部によるエラーレートの測定を開始する。ステップ２４でエラーレートは第１の閾値未満か否かを判断して、第１の閾値未満ならステップ３１で設定値をランニング最適値に格納して、ステップ２７へ進む。
一方、ステップ２４でエラーレートが第１の閾値未満でなければ（第１の閾値以上であれば）ステップ２５でエラーレートが第２の閾値を超えるか否かを判断し、第２の閾値を超えるならステップ３３で設定値を変更してエラーレートが最小の設定値を調査し、その結果得られた設定値を設定してステップ２７へ進む。
【００３２】
ステップ２５の判断でエラーレートが第２の閾値を超えないなら（第２の閾値以下ならば）、ステップ２６で設定値をデフォルト値に戻して設定し、ステップ２７で再生停止か否かを判断し、再生停止でなければステップ２４へ戻って上述の処理を繰り返し、再生停止なら、ステップ２８でランニング最適値をカレント値に格納し、ステップ２９で再生を停止し、ステップ３０でトレイアウトか否かを判断し、トレイアウトでなければそのままこの処理を終了し、トレイアウトならばステップ３１で各種の設定値のカレント値に対応するカウント値をカウントアップして、この処理を終了する。
【００３３】
例えば、ＤＶＤ−ＲＯＭ１層ディスクについて、デフォルト値を以下のように設定した場合、カレント値が例えば以下のように前回に最適な設定値に変更されており、再生スタート時にはその設定値によって再生する。
デフォルト値：設定値１を設定値＝Ｃ，設定値２を設定値＝Ｃ，設定値３を設定値＝Ｃ，設定値４を設定値＝Ｃ，設定値５を設定値＝Ｃ
カレント値（再生スタート時の設定値）：設定値１を設定値＝Ｄ，設定値２を設定値＝Ｄ，設定値３を設定値＝Ｂ，設定値４を設定値＝Ｂ，設定値５を設定値＝Ｃ
ランニング最適値（再生中に設定されている値）：設定値１を設定値＝Ｅ，設定値２を設定値＝Ｃ，設定値３を設定値＝Ａ，設定値４を設定値＝Ｂ，設定値５を設定値＝Ｃ
上記ランニング最適値は、エラーレートの最小を検出して記憶されるものであり、例えば上述のように設定値１、設定値２、設定値３が変更され、再生停止時にカレント値にコピーされ、次回再生開始時にその値が設定されることになる。
【００３４】
このようにして、光ディスクの種類により適切な設定値を短時間に設定することができ、再生エラーになり難い安定した再生動作を行うことができる。
また、エラーレートが第１の閾値（予め設定した下限値）未満の場合にはその設定値を保つことにより、再生エラーになり難い安定した再生動作を行うことができる。
さらに、エラーレートが最小になる各種設定値を記憶するので、次回再生時に最適な設定値を使用することができ、再生エラーになり難い安定した再生動作を行うことができる。
また、エラーレートが第１の閾値よりも大きい値に設定した第２の閾値よりも大きい場合は、再生異常と判断してデフォルト設定値に戻すことにより、各種設定値による再生動作が異常動作するのを防ぐことにより、再生エラーになり難い安定した再生動作を行うことができる。
【００３５】
さらに、前回最終設定値を設定するよりも、正常に再生できた設定値をカウントしているので、再生エラーになり難い安定した再生動作を行うことができる。
また、光ディスクの種類毎にそれぞれのデフォルト値、カレント値、ランニング最適値を記憶することができるので、カレント値は再生スタート時に使用し、再生中に最適なエラーレートを検出することによる設定値を別に保持し、再生停止時に最適値をカレント値にコピーして次回の再生スタート時、再生エラーになり難い安定した再生動作を行うことができる。
【産業上の利用可能性】
【００３６】
この発明による情報再生装置は、ＣＤ−Ｒディスクドライブ、ＣＤ−ＲＷディスクドライブ、ＤＶＤ−Ｒディスクドライブ、ＤＶＤ−ＲＷディスクドライブ、ＤＶＤ＋Ｒディスクドライブ、ＤＶＤ＋ＲＷディスクドライブ、ＤＶＤ−ＲＡＭディスクドライブ等の記録及び再生が可能な装置においても適用することができる。
【図面の簡単な説明】
【００３７】
【図１】この発明の一実施例である光ディスクドライブを備えた情報再生システムの構成を示すブロック図である。
【図２】図１に示すＥＥＰＲＯＭ８に格納した光ディスクの種類毎の各種設定値格納用テーブルのフォーマットを示す図である。
【図３】図１に示すＥＥＰＲＯＭ８に格納した光ディスクの種類毎のリトライ回数が少ない設定値カウント用テーブルのフォーマットを示す図である。
【図４】図３の続きのフォーマットを示す図である。
【図５】図１に示すＥＥＰＲＯＭ８に格納した再生エラー種類別の光ディスクの種類毎のリトライ回数が少ない設定値カウント用テーブルのフォーマットを示す図である。
【００３８】
【図６】図５の続きのフォーマットを示す図である。
【図７】同じく図５の続きのフォーマットを示す図である。
【図８】同じく図５の続きのフォーマットを示す図である。
【図９】同じく図５の続きのフォーマットを示す図である。
【図１０】同じく図５の続きのフォーマットを示す図である。
【００３９】
【図１１】図１に示す光ディスクドライブ１１における再生処理を示すフローチャート図である。
【図１２】図１に示すＥＥＰＲＯＭ８に格納した光ディスクの種類毎の各種設定値格納用テーブルの他のフォーマットを示す図である。
【図１３】図１に示すＥＥＰＲＯＭ８に格納した正常再生設定値カウント用テーブルのフォーマットを示す図である。
【図１４】図１３の続きのフォーマットを示す図である。
【図１５】図１に示す光ディスクドライブ１１における他の再生処理を示すフローチャート図である。
【符号の説明】
【００４０】
１：スピンドルモータ    ２：光ピックアップ    ３：回転制御系部    ４：粗動モータ／光ピッアクップ制御系部    ５：信号処理系部    ６：マイクロコントローラ    ７：バッファメモリ    ８：ＥＥＰＲＯＭ    ９：フラッシュメモリ    １０：外部インタフェース    １１：光ディスクドライブ    １２：ホストコンピュータ    １３：光ディスク
【図１】
2006185495.tif 000003
【図２】
2006185495.tif 000004
【図３】
2006185495.tif 000005
【図４】
2006185495.tif 000006
【図５】
2006185495.tif 000007
【図６】
2006185495.tif 000008
【図７】
2006185495.tif 000009
【図８】
2006185495.tif 000010
【図９】
2006185495.tif 000011
【図１０】
2006185495.tif 000012
【図１１】
2006185495.tif 000013
【図１２】
2006185495.tif 000014
【図１３】
2006185495.tif 000015
【図１４】
2006185495.tif 000016
【図１５】
2006185495.tif 000017